(57)【要約】【課題】幅の長いペーパータオルでも幅の短いペーパータオルでも安定してペーパータオルを引出せるペーパータオル用ホルダーを提供する。【解決手段】ペーパータオル用ホルダー内部に少なくとも１つのペーパータオルの束の位置決めをする板状の横長フラップと、該横長フラップを立てた場合の面の、本体部の対面に少なくとも２つのペーパータオルの束の位置決めをする縦長フラップを設け、幅の短いペーパータオルを前記ペーパーホルダーに入れるときは横長フラップを立て、かつ、縦長フラップをペーパータオルの束の側面に垂直に開き、幅の長いペーパータオルを前記ペーパーホルダーに入れるときは横長フラップを倒し、かつ、縦長フラップを回転して収納することを特徴とする。【選択図】図２
0003120241.tif 000002
【実用新案登録請求の範囲】
【請求項１】
積層されたペーパータオルを収納し、本体部に設けたペーパータオル引き出し孔から前記ペーパータオルを一枚ずつ取り出し可能なペーパータオル用ホルダーであって、
ペーパータオルの束の長手方向の中心線がペーパータオル引き出し孔に略合うように位置決めする位置決め機構を備え、
該位置決め機構が、回動することによりペーパータオルの収納幅を２種類以上の幅に調整可能であり、ペーパータオルの束をペーパータオルの束の１対の対面から挟み込むことによりペーパータオルの束の長手方向の中心線をペーパータオル取り出し孔に略合うように収納幅を調整する収納幅調整部によって構成されることを特徴とするペーパータオル用ホルダー。
【請求項２】
積層されたペーパータオルを収納し、ペーパータオル引き出し孔を底面に有すると共に該底面両縁から略垂直に立ち上がって挟み込む一対の側面をもつ本体部を備え、前記ペーパータオル引き出し孔からペーパータオルを一枚ずつ取り出し可能なペーパータオル用ホルダーであって、
ペーパータオルの束の長手方向の中心線がペーパータオル引き出し孔に略合うように位置決めする位置決め機構を備え、
該位置決め機構が、前記側面の一方に配置され、長手面が前記底面に対して略垂直方向に回動する横長フラップと、前記側面の他方に配置され、長手方向の縁部が底面に対して略垂直を維持しながら前記側面に対して略垂直方向に回動する縦長フラップとにより成り、前記横長フラップ及び縦長フラップが回動することによりペーパータオルの収納幅を２種類以上の幅に調整する収納幅調整部を含むことを特徴とするペーパータオル用ホルダー。
【考案の詳細な説明】
【技術分野】
【０００１】
本考案は、積層されたペーパータオル（以下単に、ペーパータオル）を収納し、下部から引き出し可能に構成したペーパータオル用ホルダーに係り、特に幅の長いペーパータオルであっても幅の短いペーパータオルであっても収容でき、いずれのペーパータオルでも容易に引出すことができるペーパータオルホルダーに関する。
【背景技術】
【０００２】
従来のペーパータオル用ホルダーは、ペーパータオルの幅が１種類の規格しか存在しなかったために、その規格に合わせた幅を有するように構成されていた。
しかし、紙の節約のために幅の短いペーパータオルが発売されるに至って、前記幅の短いペーパータオルにあわせたペーパータオル用ホルダーを製造する必要が出てきた。この理由は、幅の短いペーパータオルを従来の幅の広いペーパータオル用に製造されたペーパータオル用ホルダーに収納してペーパータオルを引出すと、ペーパータオルを引出すにつれてペーパータオルの束が移動し、ペーパータオルの束の中心がペーパータオル用ホルダーの引き出し口からずれてしまい、ペーパータオルがうまく取り出せなくなるからである。
さらに、幅の長いペーパータオルに対しても、また、幅の短いペーパータオルに対しても使用できるペーパータオル用ホルダーの需要も出てきた。
【０００３】
また、特許文献１には、ペーパータオル用ホルダーの筐体に回動可能な押さえ部材とペーパータオルの取り出し孔付近に内側に突出するリブとを設け、前記リブの上にペーパータオルの束をのせ、幅の長いペーパータオルを収納する場合には前記押さえ部材によってペーパータオルの束を湾曲させて収納することを特徴とするペーパータオル用ホルダーが記載されている。このような構成をとることにより、ペーパータオルの幅の長短に関わらず該ペーパータオル用ホルダーにペーパータオルを収納することが可能となった。
【特許文献１】実開平２−１２９０８８号公報
【考案の開示】
【考案が解決しようとする課題】
【０００４】
しかし、特許文献１記載のペーパータオル用ホルダーは、リブが内側を向いているため、最初の一枚目を取り出すときに、前記リブ内に手を入れてペーパータオルを取り出さなければならないばかりでなく、収納したペーパータオルを目視確認できないために手探りにより最初の一枚目を引出さなければならず、不便であるという不具合があった。
【０００５】
本考案が解決しようとする目的は、上記のような不具合に鑑み、幅の長いペーパータオルでも幅の短いペーパータオルでも安定してペーパータオルを引出せるペーパータオル用ホルダーを提供することである。
【課題を解決するための手段】
【０００６】
前記目的を達成するため、請求項１記載の考案は、積層されたペーパータオルを収納し、本体部に設けたペーパータオル引き出し孔から前記ペーパータオルを一枚ずつ取り出し可能なペーパータオル用ホルダーであって、
ペーパータオルの束の長手方向の中心線がペーパータオル引き出し孔に略合うように位置決めする位置決め機構を備え、
該位置決め機構が、回動することによりペーパータオルの収納幅を２種類以上の幅に調整可能であり、ペーパータオルの束をペーパータオルの束の１対の対面から挟み込むことによりペーパータオルの束の長手方向の中心線をペーパータオル取り出し孔に略合うように収納幅を調整する収納幅調整部によって構成されることを特徴とする。
【０００７】
請求項２記載の考案は、積層されたペーパータオルを収納し、ペーパータオル引き出し孔を底面に有すると共に該底面両縁から略垂直に立ち上がって挟み込む一対の側面をもつ本体部を備え、前記ペーパータオル引き出し孔からペーパータオルを一枚ずつ取り出し可能なペーパータオル用ホルダーであって、
ペーパータオルの束の長手方向の中心線がペーパータオル引き出し孔に略合うように位置決めする位置決め機構を備え、
該位置決め機構が、前記側面の一方に配置され、長手面が前記底面に対して略垂直方向に回動する横長フラップと、前記側面の他方に配置され、長手方向の縁部が底面に対して略垂直を維持しながら前記側面に対して略垂直方向に回動する縦長フラップとにより成り、前記横長フラップ及び縦長フラップが回動することによりペーパータオルの収納幅を２種類以上の幅に調整する収納幅調整部を含むことを特徴とする。
【考案の効果】
【０００８】
本考案のペーパータオル用ホルダーは、本体内部に回動可能な縦および横のフラップを設け、幅の長いペーパータオルを収納するときは前記フラップを傾倒収納し、幅の短いペーパータオルを収納するときは前記フラップを回動して立てることにより、ペーパータオルの束の中心がペーパータオル用ホルダーのペーパータオル取り出し孔に常に位置するように、ペーパータオルの束を位置決めし、幅の長いペーパータオルを収納した場合にも、幅の短いペーパータオルを収納した場合にもペーパータオルの束の中心をペーパータオル取り出し孔に合うように位置決めさせて、容易にペーパータオルを引き出すことができる。
【考案を実施するための最良の形態】
【０００９】
以下、本考案の一実施の形態を添付図面を参照して説明する。
図１〜図７は発明を実施する形態の一例であって、図中同一の符号を付した部分は同一物を表わす。実施形態がこれに限られないことは言うまでもない。
【００１０】
<図の説明>
図１は、本考案の一実施形態によるペーパータオル用ホルダーの斜視図である。
図２は、本実施形態によるペーパータオル用ホルダーのフラップを立てた場合の斜視図である。
図３は、本実施形態によるペーパータオル用ホルダーのフラップを収納した場合の斜視図である。
図４は、本実施形態による横長フラップの斜視図である。
図５は、本実施形態による縦長フラップの斜視図である。
図６は、本実施形態によるペーパータオル用ホルダーの図３Ａにおける断面図である。
図７は、本実施形態による折りたたまれて積層したペーパータオルの束の斜視図である。
【００１１】
<構成の説明>
本考案の一実施形態によるペーパータオル用ホルダーは、図１に示す如く、ペーパータオルを収納する本体部１と、該本体部１の開口部に蓋をするふた部２とからなる。ふた部２は、本体部１の開口部を覆うように回動し、開閉可能に本体部に係止されている。ふた部２を閉じたときには、ペーパータオル用ホルダーは略直方体をなす。
【００１２】
本体部１は、図２および図３に示す如く、側面が開放された箱形をなし、開放されていない側面には矩形に凹む縦長フラップ収納部６と、底面部にペーパータオルを本体の下部から取り出すためのペーパータオル取り出し孔５を有する。
さらに本体部１は、前記ペーパータオル引き出し孔５の長手状方向と平行な方向に延びる長板状をなし且つ該水平方向を中心として回動自在な横長フラップ３と、該横長フラップと垂直方向に延びる長板状をなし且つ該垂直方向を中心として回動自在な縦長フラップ４とから成る位置決め機構を備える。
なお、位置決め機構は収納幅調整部を含み、該収納幅調節部は収納幅を調整することができる任意の機構を意味し、収納幅調節部の中には回動可能な前記フラップも含まれる。
【００１３】
前記位置決め機構は、ペーパータオル引き出し孔５を有する底面の両縁から略垂直に立ち上がって挟み込む一対の本体部１の側面の一方に配置され、長手面が前記底面に対して略垂直方向に回動する横長フラップ３と、前記側面の他方に配置され、長手方向の縁部が底面に対して略垂直を維持しながら前記側面に対して略垂直方向に回動する縦長フラップ４とにより成り、前記横長フラップ３及び縦長フラップ４が回動することによりペーパータオルの収納幅を２種類以上の幅に調整する収納幅調整部を含む。
横長フラップ３と縦長フラップ４の配置は、本実施例に限られるものではない。
横長フラップ３と縦長フラップ４の本体部１への係止方法は、制限はない。
【００１４】
また、前記横長フラップ３は、図４に示す如く、横長フラップ嵌合用突起７をその長手方向の両端に有し、前記縦長フラップ４は、図５に示す如く、縦長フラップ嵌合用突起８をその長手方向の両端に有し、本体部１は、横長フラップ嵌合用突起７を嵌めこむための穴である横長フラップ嵌合用穴（図示せず）、および縦長フラップ嵌合用突起８を嵌めこむための図６（Ａ）および（Ｂ）に示した縦長フラップ嵌合用穴１１とを有する。図６の詳細は後述する。
前記ふた部２は、本体部１に対し、回動して閉じたときに本体部１の開放部分を覆うように開閉可能に取り付けられている。
【００１５】
横長フラップ３および縦長フラップ４をそれぞれ収納した場合、図６（Ａ）に示す如く、本実施形態のペーパータオル用ホルダーの本体部側面１２と開放されていない本体側面との内法１７は、幅の長いペーパータオルの束の幅１３に対して若干の余裕を持って略等しく構成されている。
【００１６】
横長フラップ３は、横長フラップ嵌合用突起７と図示しない横長フラップ嵌合用穴とを嵌め合わせて回動可能なように係止してある。
また縦長フラップ４は、縦長フラップ嵌合用突起８と縦長フラップ嵌合用穴１１とを嵌め合わせて回動可能なように係止してある。
【００１７】
積層されたペーパータオルの束は、図７の如く直方体をなす。ペーパータオルの幅とは図７に示したペーパータオルの束の幅１３を意味する。また、ペーパータオルの束の側面とは図７に示した側面１４を意味する。ペーパータオルの束の長手方向の中心線とは図７に示した１点破線で示した中心１５を意味する。
【００１８】
<作用の説明>
利用者が幅１３の長いペーパータオルを収納する場合には、図３に示すように、１つの横長フラップ３をペーパータオル取り出し孔５の方向に回動させて収納し、かつ２つの縦長フラップ４を回動させて縦長フラップ収納部６内に傾倒収納させる。
幅１３の長いペーパータオルは、図６（Ａ）に示すように、収納された横長フラップ３の上に重なるように収納される。
【００１９】
横長フラップ３および縦長フラップ４をそれぞれ収納した場合、図６（Ａ）に示す如く、本実施形態のペーパータオル用ホルダーの本体部側面１２と開放されていない本体側面との内法１７は、幅の長いペーパータオルの束の幅１３に対して若干の余裕を持って略等しく構成されていることにより、本体部側面１２と開放されていない本体側面との内壁によって、ペーパータオルの束の長手方向の中心線１５がペーパータオル取り出し孔５に略合わさるように、位置決めされる。
【００２０】
図６（Ａ）および（Ｂ）を用いて本実施形態のペーパータオル用ホルダーにペーパータオルを収納した状態について説明する。両図はペーパータオルを収納した状態の本実施形態のペーパータオル用ホルダーを、図３のＡの位置で切断した様子を示している。
図６（Ａ）は、幅１３の長いペーパータオルの束を収納した場合を示している。横長フラップ３はペーパータオル取り出し孔５の方向に回転され、本体部１の底面に収納されている。縦長フラップ４は回転され、縦長フラップ収納部６の中に収納されている。ペーパータオルの束は収納された横長フラップの上に載せるように収納される。
【００２１】
図６（Ｂ）は、幅１３の短いペーパータオルの束を収納した場合を示している。
横長フラップ３は、回転軸がペーパータオル引き出し孔５を有する側面に対して並行であり、横長フラップ３の面がペーパータオル引き出し孔５を有する側面に対して略垂直に回動して立てたときにペーパータオルの束の収納スペースの幅をＷ１だけ狭くする。
２本の縦長フラップ４は、回転軸がペーパータオル引き出し孔５を有する側面に対して垂直であり、回動して縦長フラップ収納部６からフラップの端部が突出するように、縦長フラップ４の面がペーパータオルの束の側面１４に垂直に当たるように立てたときにペーパータオルの束の収納スペースの幅をＷ２だけ狭くする。
ペーパータオルの束は、横長フラップ３と縦長フラップ４によってペーパータオルの束の１対の対面から挟みこむように位置決めされることにより、ペーパータオルの束の長手方向の中心線１５がペーパータオル取り出し孔５に略合わさるように位置決めされ、収納される。
【００２２】
この実施形態において幅Ｗ１は、本体部側面１２から横長フラップ３の本体部への係止位置までの長さである。また、縦長フラップ４はペーパータオルの側面１４に縦長フラップ４の面が垂直に接するように開くことによって、ペーパータオルの束の収納スペースの幅をＷ２だけ狭くする。この実施形態では幅Ｗ２は縦長フラップの幅１６と縦長フラップ収納部６の奥行きとの差分である。
【００２３】
ペーパータオルの束を収納する空間は、各フラップを立てた場合には、図６（Ｂ）に示すように、横長フラップ３によって幅Ｗ１分だけ、縦長フラップ４によってＷ２分だけ狭くなる。幅１３の短いペーパータオルの幅に合わせて、ペーパータオルの束の長手方向の中心線１５がペーパータオル取り出し孔５に来るように、幅Ｗ１と幅Ｗ２は決定される。この場合Ｗ１は横長フラップ３の厚みを変化させ、及び又は図示しない横長フラップ嵌合用穴の位置を移動させることにより調節することができる。また、Ｗ２は縦長フラップ４の幅１６を長くしたり短くしたりすることで調節することができる。
【００２４】
本考案の他の実施例としては、縦長フラップ４の取り付け角度を、前記実施例のように本体側面に並行ではなく、角度をつけて斜めに取り付けることも可能である。この場合縦長フラップの数は１つでもよい。
【００２５】
以上のように構成したため、本実施形態は、横長フラップ３をペーパータオル引き出し孔５を有する側面に対して略垂直に回動して立てると共に、縦長フラップ４を回動して縦長フラップ収納部６からフラップの端部が突出し、縦長フラップ４の面がペーパータオルの束の側面１４に垂直に当たるように立てることにより、幅１３の短いペーパータオルを収納したときにおいてもペーパータオルの束の長手方向の中心線１５をペーパータオル取り出し孔５の位置に来るように位置決めでき、ペーパータオルを引出すことによってペーパータオルの束が移動することがなくなり、ペーパータオルを引出すことができなくなるという不具合を解決することができる。
また、横長フラップ３と縦長フラップ４を収納することにより、幅１３の長いペーパータオルの束を収納することができ、従って、１台で幅１３の長いペーパータオルでも幅１３の短いペーパータオルでも収納でき、いずれの場合にもスムーズにペーパータオルを引出すことができる。
【図面の簡単な説明】
【００２６】
【図１】本考案の一実施形態によるペーパータオル用ホルダーの斜視図である。
【図２】本実施形態のペーパータオル用ホルダーのフラップを立てた場合の斜視図である
【図３】本実施形態のペーパータオル用ホルダーのフラップを収納した場合の斜視図である。
【図４】本実施形態の横長フラップの斜視図である。
【図５】本実施形態の縦長フラップの斜視図である。
【図６】本実施形態によるペーパータオル用ホルダーの図３Ａにおける断面図である。
【図７】本実施形態による折りたたまれて積層したペーパータオルの束の斜視図である。
【符号の説明】
【００２７】
１：本体部、２：ふた部、３：横長フラップ、４：縦長フラップ、５：ペーパータオル取り出し孔、６：縦長フラップ収納部、７：横長フラップ嵌合用突起、８：縦長フラップ嵌合用突起。
【図１】
0003120241.tif 000003
【図２】
0003120241.tif 000004
【図３】
0003120241.tif 000005
【図４】
0003120241.tif 000006
【図５】
0003120241.tif 000007
【図６】
0003120241.tif 000008
【図７】
0003120241.tif 000009